(57)【要約】      （修正有）【課題】身分証明書ケースの裏面に形成され、急な打ち合わせ等でメモを記載する必要性が生じた場合に、容易にメモしうるメモ用紙が収納され、筆記具等が備えられているメモパット付きＩＤカードケースを提供する。【解決手段】ケース本体部１１と、上記ケース本体部の裏面に形成され、メモパット２１を保持しうるメモホルダー部１２とを備えていることを特徴とする。【選択図】図３
0003136355.tif 000002
【実用新案登録請求の範囲】
【請求項１】
ケース本体部と、上記ケース本体部の裏面に形成され、メモパットを保持しうるメモホルダー部とを備えていることを特徴とするメモパット付きＩＤカードケース。
【請求項２】
上記メモホルダー部は、方形で板状に形成され、メモパットの保持部を有するホルダー本体と、上記ホルダー本体に重ね合わせて上記保持部を被覆しうるカバー部とを有し、
上記カバー部の一端がホルダー本体に連設されると共に、他端は留め具により固定しうることを特徴とする請求項１記載のメモパット付きＩＤカードケース。
【請求項３】
筆記具固定部及び筆記具先受け部が設けられていることを特徴とする請求項１または２記載のメモパット付きＩＤカードケース。
【請求項４】
上記ＩＤカードケースは、身分証明書ケースとして使用されることを特徴とする請求項１〜３のいずれか１項記載のメモパット付きＩＤカードケース。
【請求項５】
上記カードケース本体部に吊り下げ保持部を有することを特徴とする請求項１〜４のいずれか１項記載のメモパット付きＩＤカードケース。
【考案の詳細な説明】
【技術分野】
【０００１】
本考案は、メモパット付きＩＤカードケースに係り、特に身分証明書ケースとして使用されると共にメモしうるメモパット付きＩＤカードケースに関する。
【背景技術】
【０００２】
昨今において、会社内等で、会社内部の者や会社外部の出入りの者が自己の身分を証明する方法として、身分証明書を外部から視認できるようにＩＤカードケースに収納して、身分証明書を収納したＩＤカードケースを常時首から紐を介して垂下させたり、衣服の胸ポケット等から取り付け具を介して垂下させたりすることで、他人に自己の身分を示すような方法が用いられている。
【０００３】
一方、会社内等での打ち合わせ、急な電話又は急に外部の者と接触する場合等の際に、その内容を忘れないようにメモを記載する必要性が生じる場合がある。
【０００４】
このような場合、従来は、手帳等と筆記具を事前に用意して、打ち合わせ等の場所に持参してメモを記載する必要があり、急な打ち合わせの場合には、手帳等を用意することは困難であった。
【０００５】
このような場合、会社内等で身分証明書ケースを常時首から垂下させるような使用をしている場合には、身分証明書ケースにメモ用紙が収納され、筆記具等が備えられていれば、急にメモを記載する必要がある場合には便利である。
【考案の開示】
【考案が解決しようとする課題】
【０００６】
本考案はこのような課題を解決するためになされたものであって、身分証明書ケースの裏面に形成され、急な打ち合わせ等でメモを記載する必要性が生じた場合に、容易にメモしうるメモ用紙が収納され、筆記具等が備えられているメモパット付きＩＤカードケースを提供することにある。
【課題を解決するための手段】
【０００７】
上記課題を解決するために、請求項１記載の考案にあっては、ケース本体部と、上記ケース本体部の裏面に形成され、メモパットを保持しうるメモホルダー部とを備えていることを特徴とする。
従って、上記メモホルダー部にメモパットを保持させ携帯することで、必要に応じて上記メモパットにメモを記載することができる。
【０００８】
請求項２記載の考案にあっては、上記メモホルダー部は、方形で板状に形成され、メモパットの保持部を有するホルダー本体と、上記ホルダー本体に重ね合わせて上記保持部を被覆しうるカバー部とを有し、上記カバー部の一端がホルダー本体に連設されると共に、他端は留め具により固定しうることを特徴とする。
従って、上記カバー部は上記保持部を被覆しているので、上記ホルダー本体の保持部に保持されたメモパットを上記カバー部材により隠蔽でき、また、メモパット自体も被覆されているのでメモパットの落下を防止することができる。
【０００９】
請求項３記載の考案にあっては、筆記具固定部及び筆記具先受け部が設けられていることを特徴とする。
従って、上記筆記固定部及び上記筆記先受け部に筆記具を挿通して保持させ携帯することで、必要に応じて上記メモパットにメモを記載することができる。
【００１０】
請求項４記載の考案にあっては、上記ＩＤカードケースは、身分証明書ケースとして使用されることを特徴とする。
【００１１】
請求項５記載の考案にあっては、上記カードケース本体部に吊り下げ保持部を有することを特徴とする。
従って、上記保持部に紐等を取り付けることで、首から紐を介して垂下させたり、衣服の胸ポケット等から取り付け具を介して垂下させることができる。
【考案の効果】
【００１２】
請求項１記載の考案にあっては、ケース本体部と、上記ケース本体部の裏面に形成され、メモパットを保持しうるメモホルダー部とを備えており、上記メモホルダー部にメモパットを保持させ携帯することができるので、例えば、常時身分証明書ケースとして携帯している場合には、急な打ち合わせ、急な電話又は急に外部の者と接触する場合等においても、必要に応じて上記メモパットにメモを記載することができる。
従って、手帳等の用意が困難な急な場合であっても、容易に上記メモパットにメモを記載することができる。
【００１３】
請求項２記載の考案にあっては、上記メモホルダー部は、方形で板状に形成され、メモパットの保持部を有するホルダー本体と、上記ホルダー本体に重ね合わせて上記保持部を被覆しうるカバー部とを有し、上記カバー部の一端がホルダー本体に連設されると共に、他端は留め具により固定しうるので、上記ホルダー本体の保持部に保持されたメモパットを上記カバー部材により隠蔽できると共に外観上の体裁を整わせることができ、また、上記カバー部材によりメモパット自体も被覆されているので本考案に係るメモパット付きＩＤカードケースを粗雑に扱った場合においてもメモパットの落下を防止することができる。
【００１４】
請求項３記載の考案にあっては、筆記具固定部及び筆記具先受け部が設けられているので、上記筆記固定部及び上記筆記先受け部に筆記具を挿通して保持させ携帯することで、必要に応じて上記メモパットにメモを記載することができ、筆記具を別に携帯したり探す必要がない。
【００１５】
請求項４記載の考案にあっては、上記ＩＤカードケースは、身分証明書ケースとして使用されるので、身分証明書を収納して常時携帯するような使用がされる場合には、急にメモを記載する必要性が生じた場合であっても、上記メモパットにメモを記載することができる。
【００１６】
請求項５記載の考案にあっては、上記カードケース本体部に吊り下げ保持部を有するので、ポケットやバッグに収納するだけでなく、身分証明書を収納したＩＤカードケースを首から紐を介して垂下させたり、衣服の胸ポケット等から取り付け具を介して垂下させることができ、このような使用をしている場合には、急にメモを記載する必要性が生じた場合であっても、即座に容易にメモを記載することができる。
【考案を実施するための最良の形態】
【００１７】
以下、図面を用いて本考案の実施の形態について説明する。
図１に示すように、本実施の形態に係るメモパット付きＩＤカードケース１０は、身分証明書ケースとして構成され、身分証明書を挿入しうる挿入口２３と、身分証明書を収納したＩＤカードケースを首から紐を介して垂下させるための吊り下げ保持部２１とを有する。
また、図２に示すように、本実施の形態に係るメモパット付きＩＤカードケース１０は、ケース本体部１１と、上記ケース本体部１１の裏面に形成され、図３に示すようなメモパット２１を保持しうるメモホルダー部１２とを備えている。
また、図３に示すように、上記メモホルダー部１２は、方形で板状に形成され、メモパットの保持部１４ａ，１４ｂ，１４ｃ，１４ｄを有するホルダー本体１３と、上記ホルダー本体１３に重ね合わせて上記保持部１４ａ，１４ｂ，１４ｃ，１４ｄを被覆しうるカバー部１５とを有し、上記カバー部１５の一端がホルダー本体１３に連設されると共に、他端は留め具１６により固定しうる構成となっている。
また、図３に示すように、上記ホルダー本体１３の側縁部１８には、筆記具固定部１９及び筆記具先受け部２０が設けられている。
【実施例】
【００１８】
以下に、本実施例について詳細を説明する。
図３に示すように、上記メモホルダー部１２は、メモパット２１を保持しうる三角形状の保持部１４ａ，１４ｂ，１４ｃ，１４ｄをホルダー本体１３の各コーナーに有し、メモパット２１が差し込まれた場合には、メモパット２１が保持される。上記保持部１４ａ，１４ｂ，１４ｃ，１４ｄ以外の部分の中間部はメモしうるように露呈した状態で上記保持部１４ａ，１４ｂ，１４ｃ，１４ｄにより保持されている。
【００１９】
また、図３に示すように、ホルダー本体１３の側縁部１８には、ホルダー本体１３に連設された筆記具固定部２０及び筆記具先受け部２１が設けられており筆記具を装着しておくことができる。
そして、図３に示すように、上記保持部１４ａ，１４ｂ，１４ｃ，１４ｄと、上記保持部１４ａ，１４ｂ，１４ｃ，１４ｄに保持されたメモパット２１と、筆記具が装着された筆記具固定部１９及び筆記具先受け部２０とを被覆しうるカバー部１５が上記ホルダー本体１３に重ね合わせうるように上記ホルダー本体１３の一端に連設されている。
そして、上記カバー部１５の他端は留め具１６として用いられたホック１６により固定されるように構成されている。
すなわち、図３に示すように、上記ケース本体部１１の裏面にホック雄部材１７ｂが、また、上記カバー部１５にはホック雌部材１７ａが夫々取り付けられている。
【００２０】
以下に、上記実施例の作用について説明する。
図３に示すメモパット付きＩＤカードケース１０の上記吊り下げ保持部２２に所定の長さの紐を通し、紐をループ状に形成することで、首から垂下させることができる身分証明書ケースとなる。
【００２１】
図２に示すように、メモパット付きＩＤカードケース１０の裏側にはメモホルダー部１２が設けられており、カバー部材１５がホック１６により固定されている。
また、図３に示すような上記保持部１４ａ，１４ｂ，１４ｃ，１４ｄに保持されたメモパット２１自体も被覆されているのでメモパット付きＩＤカードケース１０を粗雑に扱った場合においてもメモパット２１の落下を防止することができる。
【００２２】
メモパット２１にメモを記載したい場合には、図２に示すホック１６部分を外し、図３に示すように、カバー部１５を開く。
そして、筆記具固定部１９及び筆記具先受け部２０に装着された筆記具を使用してメモパット２１にメモを容易に記載することができる。
従って、メモを記載する必要が生じた場合に筆記具を探す必要がなく即座にメモパット２１にメモを記載することができる。
また、メモパット２１は、上記保持部１４ａ，１４ｂ，１４ｃ，１４ｄ以外の部分の中間部はメモしうるように露呈した状態で上記保持部１４ａ，１４ｂ，１４ｃ，１４ｄにより保持されているので、カバー部１５を開く操作のみで、メモパット２１にメモを記載することができる。
【００２３】
従って、急な打ち合わせ等でメモを記載する必要性が生じた場合に、容易にメモしうるメモ用紙を収納したメモパット付きＩＤカードケース１０を提供することができる。
【００２４】
また、メモパット２１を保持しうる三角形状の保持部１４ａ，１４ｂ，１４ｃ，１４ｄをホルダー本体１３の各コーナーに有しており、記載済みのメモパット２１を取り出したり、メモパット２１を追加することが容易にできる。  
【００２５】
また、本実施の形態においては記載されていないが、他の実施の形態としては、吊り下げ保持部２１はこのような形態に限られるものではなく、衣服の胸ポケット等から取り付け具を介して垂下させることが可能な形態でもよい。
また、メモホルダー１２の大きさは限定されるものではなく、ケース本体部１１の裏面全体に亘るものであっても、本実施例よりも小さなものであっても適用することができる。
【産業上の利用可能性】
【００２６】
本考案は、身分証明書ケースとして使用されると共にメモしうるメモパット付きＩＤカードケースに適用することができる。
【図面の簡単な説明】
【００２７】
【図１】本考案に係るメモパット付きＩＤカードケースの一実施の形態を示す正面側斜視図である。
【図２】本考案に係るメモパット付きＩＤカードケースの一実施の形態を示す裏面側斜視図である
【図３】本考案に係るメモパット付きＩＤカードケースの一実施の形態を示すカバー部を開いた状態の裏面側斜視図である
【符号の説明】
【００２８】
１０    メモパット付きＩＤカードケース  
１１    ケース本体部
１２    メモホルダー部
１３    ホルダー本体
１４ａ  保持部
１４ｂ  保持部
１４ｃ  保持部
１４ｄ  保持部
１５    カバー部
１６    留め具、ホック
１７ａ  ホック雌部材
１７ｂ  ホック雄部材
１８    側縁部
１９    筆記具固定部
２０    筆記具先受け部
２１    メモパット
２２    吊り下げ保持部
２３    挿入口
【図１】
0003136355.tif 000003
【図２】
0003136355.tif 000004
【図３】
0003136355.tif 000005